(57)【特許請求の範囲】
【請求項１】
移動局宛ての同一のパケットデータを無線送信する第１及び第２の基地局と、
前記パケットデータを前記第１の基地局に向けて送信する第１のゲートウェイ手段と、
前記第１及び第２の基地局、並びに前記第１のゲートウェイ手段と通信可能であり、前記パケットデータを前記第１のゲートウェイ手段から受信し、前記パケットデータを複製し、複製された前記パケットデータを前記第１及び第２の基地局に送信する第２のゲートウェイ手段と、
前記パケットデータを転送するための通信路設定に関する情報をシグナリングする制御手段と、
を備え、
前記第１のゲートウェイ手段は、前記制御手段から前記第１のゲートウェイ手段にシグナリングされる第１のパケットデータ通信情報に基づいて、前記第１のゲートウェイ手段から前記第２のゲートウェイ手段を介して前記第１の基地局に前記パケットデータを送信するための第１のベアラを設定し、
前記第１の基地局は、前記制御手段から前記第１の基地局にシグナリングされる第２のパケットデータ通信情報に基づいて、前記第１のゲートウェイ手段から前記第２のゲートウェイ手段を介して前記パケットデータを受信するために、前記第１のベアラを設定し、
前記第２のゲートウェイ手段は、（ａ）前記第１のパケットデータ通信情報、（ｂ）前記第２のパケットデータ通信情報、又は（ｃ）前記制御手段から前記第２のゲートウェイ手段にシグナリングされる第３のパケットデータ通信情報に基づいて、前記第２のゲートウェイ手段から前記第２の基地局に前記パケットデータを送信するための第２のベアラを設定し、
前記第２の基地局は、前記第２のゲートウェイ手段又は前記制御手段から前記第２の基地局にシグナリングされる第４のパケットデータ通信情報に基づいて、前記第２のゲートウェイ手段から前記パケットデータを受信するために、前記第２のベアラを設定する、
無線通信システム。
【請求項２】
前記第２のパケットデータ通信情報は、前記第１の基地局から前記移動局に前記パケットデータを送信するための第１の無線チャネルに関する設定情報を含み、
前記第４のパケットデータ通信情報は、前記第２の基地局から前記移動局に前記パケットデータを送信するための第２の無線チャネルに関する設定情報を含む、
請求項１に記載の無線通信システム。
【請求項３】
前記第２のゲートウェイ手段は、前記制御手段から前記第１の基地局に送信される前記第２のパケットデータ通信情報を監視し、前記第２のパケットデータ通信情報に基づいて、前記パケットデータを前記第２の基地局に送信するための前記第２のベアラの設定を行う、請求項１又は２に記載の無線通信システム。
【請求項４】
前記第２のゲートウェイ手段は、前記第１及び第２のパケットデータ通信情報のうち少なくとも１つを用いて前記第４のパケットデータ通信情報を生成する、請求項１〜３のいずれか１項に記載の無線通信システム。
【請求項５】
前記第２のゲートウェイ手段は、前記第３のパケットデータ通信情報を前記制御手段から受信し、前記第３のパケットデータ通信情報に基づいて、前記パケットデータを前記第２の基地局に送信するための前記第２のベアラの設定を行う、請求項１又は２に記載の無線通信システム。
【請求項６】
前記第１の基地局は、前記パケットデータの無線送信タイミング、及び前記パケットデータの無線送信に使用する無線リソースのうち少なくとも一方の情報を含む送信情報を前記第２の基地局に送信する、請求項１〜５のいずれか１項に記載の無線通信システム。
【請求項７】
前記第第１及び第２の基地局のうち少なくとも一方の基地局は、所定の条件を満足する場合に、前記パケットデータを無線送信する、請求項１〜６のいずれか１項に記載の無線通信システム。
【請求項８】
前記所定の条件は、前記少なくとも一方の基地局の負荷に関する、請求項７に記載の無線通信システム。
【請求項９】
前記少なくとも一方の基地局は、前記少なくとも一方の基地局の無線リソースの負荷が所定値より低い場合、前記パケットデータを無線送信する、請求項８に記載の無線通信システム。
【請求項１０】
前記少なくとも一方の基地局は前記第２の基地局であり、
前記所定の条件は、前記パケットデータが前記第２の基地局に到達するタイミングに関する、請求項６を引用する請求項７に記載の無線通信システム。
【請求項１１】
前記送信情報は、前記パケットデータの無線送信タイミング、及び前記パケットデータの無線送信に使用する無線リソースを共に含み、
前記第２の基地局は、前記送信情報で通知された前記無線送信タイミングから所定時間前までに前記パケットデータを受信しない場合、前記送信情報で通知された前記第１の基地局が前記パケットデータの送信に利用する無線リソースの前記無線送信タイミングにおける使用を停止する、請求項１０に記載の無線通信システム。
【請求項１２】
前記所定の条件は、前記制御手段または前記第１の基地局からの指示に関する、請求項７に記載の無線通信システム。
【請求項１３】
前記少なくとも一方の基地局は、前記パケットデータの送信停止通知を前記制御手段または前記第１の基地局から受信した場合、前記パケットデータの無線送信を停止する、請求項１２に記載の無線通信システム。
【請求項１４】
前記制御手段または前記第２のゲートウェイ手段は、前記移動局が前記第２の基地局と接続するために必要な無線接続情報を前記移動局に通知するよう構成されている、請求項１〜１１のいずれか１項に記載の無線通信システム。
【請求項１５】
前記無線接続情報は、前記第１の基地局と前記移動局との間のダウンリンク制御チャネルを通して前記移動局に通知される、請求項１４に記載の無線通信システム。
【請求項１６】
移動局宛ての同一のパケットデータを無線送信する第１及び第２の基地局、前記パケットデータを前記第１の基地局に向けて送信するゲートウェイ手段、並びに前記パケットデータを転送するためのベアラ設定に関する情報をシグナリングする制御手段と通信可能な通信装置であって、
第１乃至第３のパケットデータ制御情報のうち少なくとも１つに基づいて、前記通信装置から前記第２の基地局に前記パケットデータを送信するための第２のベアラの設定を行うよう構成された制御部と、
前記ゲートウェイ手段から送信された前記パケットデータを複製し、複製された前記パケットデータを前記第１及び第２の基地局に送信する送信部と、
を備え、
前記第１のパケットデータ通信情報は、前記ゲートウェイ手段から前記通信装置を介して前記第１の基地局に前記パケットデータを送信するための第１のベアラの設定に関し、前記制御手段から前記ゲートウェイ手段にシグナリングされ、
前記第２のパケットデータ通信情報は、前記パケットデータを前記ゲートウェイ手段から前記通信装置を介して前記第１の基地局において受信するために必要な前記第１のベアラの設定に関し、前記制御手段から前記第１の基地局にシグナリングされ、
前記第３のパケットデータ通信情報は、前記通信装置から前記第２の基地局に前記パケットデータを送信するための前記第２のベアラの設定に関し、前記制御手段から前記通信装置にシグナリングされる、
通信装置。
【請求項１７】
前記制御部は、前記制御手段から前記第１の基地局に送信される前記第２のパケットデータ通信情報を監視し、前記第２のパケットデータ通信情報に基づいて、前記パケットデータを前記第２の基地局に送信するための前記第２のベアラの設定を行う、請求項１６に記載の通信装置。
【請求項１８】
前記制御部は、前記第１及び第２のパケットデータ通信情報の少なくとも１つを用いて、前記第２の基地局が前記通信装置から前記パケットデータを受信するために必要な前記第２のベアラの設定に関する第４のパケットデータ通信情報を生成し、前記第４のパケットデータ通信情報を前記第２の基地局に送信する、請求項１６又は１７に記載の通信装置。
【請求項１９】
前記制御部は、前記第３のパケットデータ通信情報を前記制御手段から受信し、前記第３のパケットデータ通信情報に基づいて、前記複製された前記パケットデータを前記第２の基地局に送信するための前記第２のベアラの設定を行う、請求項１６に記載の通信装置。
【請求項２０】
通信装置によって行われる複数基地局からの同時送信の制御方法であって、
前記通信装置は、移動局宛ての同一のパケットデータを無線送信する第１及び第２の基地局、前記パケットデータを前記第１の基地局に向けて送信するゲートウェイ手段、並びに前記パケットデータを転送するためのベアラ設定に関する情報をシグナリングする制御手段と通信可能に配置され、
前記方法は、
第１乃至第３のパケットデータ制御情報のうち少なくとも１つに基づいて、前記通信装置から前記第２の基地局に前記パケットデータを送信するための第２のベアラの設定を行うこと、及び、
前記ゲートウェイ手段から送信された前記パケットデータを複製し、複製された前記パケットデータを前記第１及び第２の基地局に送信すること、
を備え、
前記第１のパケットデータ通信情報は、前記ゲートウェイ手段から前記通信装置を介して前記第１の基地局に前記パケットデータを送信するための第１のベアラの設定に関し、前記制御手段から前記ゲートウェイ手段にシグナリングされ、
前記第２のパケットデータ通信情報は、前記パケットデータを前記ゲートウェイ手段から前記通信装置を介して前記第１の基地局において受信するために必要な前記第１のベアラの設定に関し、前記制御手段から前記第１の基地局にシグナリングされ、
前記第３のパケットデータ通信情報は、前記通信装置から前記第２の基地局に前記パケットデータを送信するための前記第２のベアラの設定に関し、前記制御手段から前記通信装置にシグナリングされる、
制御方法。
【請求項２１】
前記制御手段から前記第１の基地局に送信される前記第２のパケットデータ通信情報を監視することをさらに備え、
前記通信装置から前記第２の基地局に前記パケットデータを送信するための前記第２のベアラの設定は、前記第２のパケットデータ通信情報に基づいて行われる、請求項２０に記載の制御方法。
【請求項２２】
前記第１及び第２のパケットデータ通信情報の少なくとも１つを用いて、前記第２の基地局が前記通信装置から前記パケットデータを受信するために必要な前記第２のベアラの設定に関する第４のパケットデータ通信情報を生成すること、及び
前記第４のパケットデータ通信情報を前記第２の基地局に送信すること、
をさらに備える、請求項２０又は２１に記載の制御方法。
【請求項２３】
前記第３のパケットデータ通信情報を前記制御手段から受信することをさらに備え、
前記通信装置から前記第２の基地局に前記パケットデータを送信するための前記第２のベアラの設定は、前記第３のパケットデータ通信情報に基づいて行われる、請求項２０に記載の制御方法。
【請求項２４】
通信装置によって行われる複数基地局からの同時送信の制御方法をコンピュータに行わせるためのプログラムであって、
前記通信装置は、移動局宛ての同一のパケットデータを無線送信する第１及び第２の基地局、前記パケットデータを前記第１の基地局に向けて送信するゲートウェイ手段、並びに前記パケットデータを転送するためのベアラ設定に関する情報をシグナリングする制御手段と通信可能に配置され、
前記方法は、
第１乃至第３のパケットデータ制御情報のうち少なくとも１つに基づいて、前記通信装置から前記第２の基地局に前記パケットデータを送信するための第２のベアラの設定を行うこと、及び、
前記ゲートウェイ手段から送信された前記パケットデータを複製し、複製された前記パケットデータを前記第１及び第２の基地局に送信すること、
を備え、
前記第１のパケットデータ通信情報は、前記ゲートウェイ手段から前記通信装置を介して前記第１の基地局に前記パケットデータを送信するための第１のベアラの設定に関し、前記制御手段から前記ゲートウェイ手段にシグナリングされ、
前記第２のパケットデータ通信情報は、前記パケットデータを前記ゲートウェイ手段から前記通信装置を介して前記第１の基地局において受信するために必要な前記第１のベアラの設定に関し、前記制御手段から前記第１の基地局にシグナリングされ、
前記第３のパケットデータ通信情報は、前記通信装置から前記第２の基地局に前記パケットデータを送信するための前記第２のベアラの設定に関し、前記制御手段から前記通信装置にシグナリングされる、
プログラム。
【発明の詳細な説明】
【技術分野】
【０００１】
本発明は、複数基地局を含む無線通信システムに関し、特に複数の基地局による同時データ送信の制御に関する。
【背景技術】
【０００２】
3GPP（3rd Generation Partnership Project）のLTE-Advanced (Long Term Evolution Advanced)のStudy Itemでは、セル端にいる移動局（以下UE：User Equipment）の通信速度の高速化や、基地局（以下eNB：Evolved Node B）のセルスループットの改善等を目的とした技術の１つとして、Coordinated multi-point transmission/reception（CoMP）の標準化が検討されている（非特許文献１を参照）。以下では、3GPPのLTE-Advancedにおいて検討中のCoMPの概要について説明する。【０００３】
CoMPを導入したネットワークでは、複数の送信ポイント（eNBやRemote Radio Head: RRH）から同一タイミングで同一のUEに対してデータを送信するシナリオ（Joint Processing：JP）がCoMP導入シナリオの１つとして検討されている。同一eNBが制御する複数のRRHを用いたCoMPはIntra-eNB CoMPと呼ばれ、複数eNB間でのCoMPはInter-eNB CoMPと呼ばれる。Inter-eNB CoMPでJoint Processingを行う場合、１つの基地局がUEを制御し、残りの基地局はUEの制御を行わずにデータ送信を行うことが想定されている。本明細書では、対象のUEを制御するeNBをServing eNBと呼び、UEの制御を行わない残りのeNBをCoMP eNBと呼ぶ。Serving eNBおよびCoMP eNBは同一タイミングでデータを送信し、UEは両方のeNBからのデータを受信することで、ダウンリンクのスループットを向上させている。【０００４】
例として、図１に背景技術に基づいた移動通信システムのネットワーク構成図を示す。Serving eNB 901はServing eNBセル911を形成し、CoMP eNB 902はCoMP eNBセル921を形成する。UE 903は、Serving eNBセル911および CoMP eNBセル921から同一タイミングで送信されるデータを受信する。Serving eNB 901及びCoMP eNB 902は、IP（Internet Protocol）ネットワーク等のアクセス回線を介してコアネットワーク904に接続されており、UE 903とコアネットワーク904との間でトラフィックを中継する。コアネットワーク904は、Serving eNB 901およびCoMP eNB 902を制御するネットワーク装置（Mobility Management Entity (MME)905）、並びにServing eNB 901およびCoMP eNB 902にユーザーデータ（パケットデータ）を転送するServing GateWay/Packet Data Network GateWay(S/P-GW) 906を有する。MME 905は、UEのアタッチ及びハンドオーバーを含むモビリティ管理、並びにベアラ制御を行う制御主体であり、Serving eNB 901及びCoMP eNB 902との間で制御データを通信する。S/P-GW 906は、外部ネットワーク（PDN：Packet Data Network）とServing eNB 901及びCoMP eNB 902との間でユーザーデータを転送するデータ転送主体である。
【先行技術文献】
【非特許文献】
【０００５】
【非特許文献１】3GPP TR 36.814 v1.5.0 (2009-11)、"Further Advancements for E-UTRA Physical Layer Aspects"
【発明の概要】
【発明が解決しようとする課題】
【０００６】
本願の発明者は、Inter-eNB CoMPでJoint Processingを行う場合のS/P-GW 906とCoMP eNB 902間に設定されるS1ベアラについて詳細検討を行った。従来のネットワークを流用する場合、2つのアーキテクチャーが考えられる。これらのアーキテクチャーを図2A及びBに示す。破線矢印は制御信号（C-Plane）を示し、実線矢印はデータ信号（U-Plane）を示す。図2Aに示されるアーキテクチャー1は、S/P-GW 906がCoMP eNB 902へのベアラを設定するアーキテクチャーである。図2Bに示されるアーキテクチャー2は、Serving eNB 901がCoMP eNB 902にデータを転送するアーキテクチャーである。図2Bの場合、Serving eNB 901とCoMP eNB 902は、3GPP Release 8で仕様化されたX2インターフェースを用いてデータ転送を行えばよい。【０００７】
アーキテクチャー1において、S/P-GW 906は、同一UE 903に対して、同一データを異なるルートを経由して送信するよう少なくとも２つのベアラを設定しなければならない。しかしながら、3GPP Release 8の仕様において、同一QCI（QoS Class Identifierを持つS/P-GW 906とUE 903間のベアラは、S1ベアラに1対1でマッピングされる。そのため、アーキテクチャー1を実現するためには、従来の仕様とは異なる制御方法が必要であり、S/P-GW及びMMEを含むコアネットワーク装置（以下ではコアノードと呼ぶ）の仕様変更が必要である。【０００８】
一方、アーキテクチャー2では、S/P-GW 906は、Serving eNB 901にのみベアラを設定するためS/P-GW 906の仕様変更インパクトは小さい。しかし、Serving eNB 901は、到達したデータをCoMP eNB 902にX2インターフェースを介して転送するため、転送遅延が発生する。その結果、S/P-GW 906からServing eNB 901へ到達するデータと、CoMP eNB 902へ到達するデータとの間に遅延差が発生する。そのため、eNB 901及び902から同一タイミングで同一UE 903にデータを送信することが難しい。【０００９】
本検討の結果、従来のネットワークを流用したアーキテクチャー1及び2では、コアノードに対する仕様変更インパクトが小さく、かつServing eNBとCoMP eNBへ到達するデータ間の遅延差が小さいCoMPを実現することが困難であると考えられる。【００１０】
本発明は、発明者による上述の考察に基づいてなされたものである。すなわち、本発明の目的は、Inter-eNB CoMPを行う場合に、コアノードへの仕様変更インパクトを低減するとともに、Serving eNB及びCoMP eNBへ到達するデータ間の遅延差を低減可能なベアラ設定方法を実現する、無線通信ステム、複数基地局装置の同時送信制御方法、及びプログラムを提供することにある。
【課題を解決するための手段】
【００１１】
本発明の第１の態様は、無線通信システムを含む。当該無線通信システムは、第１及び第２の基地局、第１のゲートウェイ機能ブロック、第２のゲートウェイ機能ブロック、並びに制御機能ブロックを含む。前記第１及び第２の基地局のそれぞれは、移動局宛てのパケットデータを無線送信可能である。前記第１のゲートウェイ機能ブロックは、前記パケットデータを前記第１の基地局に向けて送信できるよう構成されている。前記第２のゲートウェイ機能ブロックは、前記第１及び第２の基地局、並びに前記第１のゲートウェイ機能ブロックと通信可能である。前記制御機能ブロックは、前記パケットデータを転送するための通信路設定に関する情報をシグナリングできるよう構成されている。
ここで、前記第１のゲートウェイ機能ブロックから前記第２のゲートウェイ機能ブロックを介して前記第１の基地局に前記パケットデータを送信するための通信路設定は、前記制御装置からシグナリングされる第１のパケットデータ通信情報に基づいて行われる。
また、前記第２のゲートウェイ機能ブロックから前記第２の基地局に前記パケットデータを送信するための通信路設定は、前記第１のパケットデータ通信情報、前記制御機能ブロックから前記第１の基地局にシグナリングされる第２のパケットデータ通信情報、及び前記制御機能ブロックから前記第２のゲートウェイ機能ブロックにシグナリングされる第３のパケットデータ通信情報のうち少なくとも１つに基づいて行われる。【００１２】
本発明の第２の態様は、通信装置を含む。当該通信装置は、移動局宛てのパケットデータを無線送信可能な第１及び第２の基地局、前記パケットデータを前記第１の基地局に向けて送信するゲートウェイ機能ブロック、並びに前記パケットデータを転送するための通信路設定に関する情報をシグナリングする制御機能ブロックと通信可能である。当該通信装置は、制御部及び送信部を含む。前記制御部は、第１乃至第３のパケットデータ制御情報のうち少なくとも１つに基づいて、前記通信装置から前記第２の基地局に前記パケットデータを送信するための通信路設定を行うよう構成されている。また、前記送信部は、前記ゲートウェイ機能ブロックから送信された前記パケットデータを前記第１及び第２の基地局に送信する。
ここで、前記第１のパケットデータ通信情報は、前記ゲートウェイ機能ブロックから前記通信装置を介して前記第１の基地局に前記パケットデータを送信するための通信路設定に関し、前記制御機能ブロックからシグナリングされる。前記第２のパケットデータ通信情報は、前記通信装置から前記第２の基地局に前記パケットデータを送信するための通信路設定に関し、前記制御機能ブロックから前記第１の基地局にシグナリングされる。また、前記第３のパケットデータ通信情報は、前記制御機能ブロックから前記通信装置にシグナリングされる。【００１３】
本発明の第３の態様は、通信装置によって行われる複数基地局からの同時送信の制御方法を含む。前記通信装置は、移動局宛てのパケットデータを無線送信可能な第１及び第２の基地局、前記パケットデータを前記第１の基地局に向けて送信するゲートウェイ機能ブロック、並びに前記パケットデータを転送するための通信路設定に関する情報をシグナリングする制御機能ブロックと通信可能に配置される。
当該制御方法は、
（ａ）第１乃至第３のパケットデータ制御情報のうち少なくとも１つに基づいて、前記通信装置から前記第２の基地局に前記パケットデータを送信するための通信路設定を行うこと、及び、
（ｂ）前記ゲートウェイ機能ブロックから送信された前記パケットデータを前記第１及び第２の基地局に送信すること、
を含む。
ここで、前記第１のパケットデータ通信情報は、前記ゲートウェイ機能ブロックから前記通信装置を介して前記第１の基地局に前記パケットデータを送信するための通信路設定に関し、前記制御機能ブロックからシグナリングされる。前記第２のパケットデータ通信情報は、前記通信装置から前記第２の基地局に前記パケットデータを送信するための通信路設定に関し、前記制御機能ブロックから前記第１の基地局にシグナリングされる。また、前記第３のパケットデータ通信情報は、前記制御機能ブロックから前記通信装置にシグナリングされる。【００１４】
本発明の第４の態様は、上述した本発明の第３の態様に係る制御方法をコンピュータに行わせるためのプログラムを含む。
【発明の効果】
【００１５】
上述した本発明の一態様によれば、複数の基地局間でCoMPを行う場合に、コアノードへの仕様変更インパクトを低減するとともに、Serving eNB及びCoMP eNBへ到達するデータ間の遅延差を低減可能な、無線通信システム、複数基地局装置の同時送信制御方法、及びプログラムを提供できる。
【図面の簡単な説明】
【００１６】
【図１】背景技術にかかるネットワーク構成図である。
【図２Ａ】背景技術にかかるネットワークを流用した予想されるCoMPアーキテクチャーを示す図である。
【図２Ｂ】背景技術にかかるネットワークを流用した予想されるCoMPアーキテクチャーを示す図である。
【図３】本発明の実施の形態にかかるネットワーク構成図である。
【図４】図3に示したServing eNB 1の構成例を示すブロック図である。
【図５】図3に示したCoMP eNB 2の構成例を示すブロック図である。
【図６】図3に示したUE 3の構成例を示すブロック図である。
【図７】図3に示したMME 5の構成例を示すブロック図である。
【図８】図3に示したS/P-GW 6の構成例を示すブロック図である。
【図９】図3に示したCoMP GW 7の構成例を示すブロック図である。
【図１０】第1の実施形態におけるシーケンス図である。
【図１１】第1の実施形態における個別ベアラ設定のシーケンス図である。
【図１２】第1の実施形態におけるServing eNBの動作を示すフローチャートである。
【図１３】第1の実施形態におけるCoMP eNBの動作を示すフローチャートである。
【図１４】第1の実施形態におけるUEの動作を示すフローチャートである。
【図１５】第1の実施形態におけるMMEの動作を示すフローチャートである。
【図１６】第1の実施形態におけるCoMP GWの動作を示すフローチャートである。
【図１７】第2の実施形態におけるシーケンス図である。
【図１８】第2の実施形態におけるCoMP GWの動作を示すフローチャートである。
【図１９】第3の実施形態におけるシーケンス図である。
【図２０】第3の実施形態におけるCoMP eNBの動作を示すフローチャートである。
【図２１】第4の実施形態におけるシーケンス図である。
【図２２】第4の実施形態におけるServing eNBの動作を示すフローチャートである。
【発明を実施するための形態】
【００１７】
以下に、図面を参照しつつ本発明の実施の形態について説明する。図3は、本実施の形態にかかる移動通信システムのネットワーク構成例を示す図である。図3は、本実施の形態にかかる移動通信システムがEPS（Evolved Packet System）である場合について示している。なお、図3では、説明の簡略化のためにServing eNB1およびCoMP eNB2を１つずつのみ図示している。しかしながら、複数のeNBが配置され、それぞれがServing eNB 1またはCoMP eNB 2に成りえる形態が一般的である。また、Serving eNBセル11およびCoMP eNBセル21から下りデータを受信するUE 3も複数台存在する形態が一般的である。
【００１８】
Serving eNB 1は、Serving eNBセル11を形成し、UE 3との間で双方向の無線通信を行う。CoMP eNB 2は、通常のeNBと同等の機能を有するが、CoMPを行っているUE 3に対しては制御情報を送らず、データ送信のみを行う。Serving eNB 1及びCoMP eNB 2は、IP（Internet Protocol）ネットワーク等のアクセス回線を介してコアネットワーク4に接続されており、UE3とコアネットワーク4との間でトラフィックを中継する。コアネットワーク4は、MME5、S/P-GW6を含む。
【００１９】
CoMP GW 7は、コアネットワーク4とServing eNB 1およびCoMP eNB 2との間に配置される論理ノードである。CoMP GW 7は、Serving eNB 1およびCoMP eNB 2のそれぞれとコアネットワーク4との間でユーザーデータ及び制御データを中継する。
【００２０】
図4は、第1から第4の実施形態におけるServing eNB 1の構成例を示すブロック図である。図4において、無線通信部101は、送信データ処理部102から供給される物理チャネルの送信シンボル列に対して、リソースエレメントへのマッピング、OFDM信号生成（IDFT：Inverse Discrete Fourier Transform）、周波数変換、信号増幅等の各処理を行ってダウンリンク信号を生成する。生成されたダウンリンク信号はアンテナから無線送信される。また、無線通信部101は、UE 3から送信されるアップリンク信号を受信し、受信シンボル列を復元する。
【００２１】
送信データ処理部102は、UE 3に向けて送信されるユーザーデータを通信部104から取得し、ユーザーデータの送信タイミングや使用するリソースブロック等の情報を含むスケジューリング情報をスケジューリング制御部105から取得する。送信データ処理部102は、これらの送信データに対する誤り訂正符号化、レートマッチング、インタリービング等を行なってトランスポートチャネルを生成する。さらに、送信データ処理部102は、トランスポートチャネルのデータ系列に対するスクランブル、変調シンボルマッピングを行って物理チャネル（PBCH(Physical Broadcast Channel)、PDCCH(Physical Downlink Control Channel)、PDSCH(Physical Downlink Shared Channel)等）毎の送信シンボル列を生成する。
【００２２】
受信データ処理部103は、無線通信部101から供給される受信シンボル列から論理チャネル毎の受信データを復元する。得られた受信データに含まれるユーザートラフィックデータと一部の制御データは、通信部104を経由してコアネットワーク4またはCoMP GW 7に転送される。
【００２３】
スケジューリング制御部105は、通信部 104を介してMME 5から受信したユーザーデータ設定情報を保持する。スケジューリング制御部105は、MME 5から受信したユーザーデータ設定情報に基づいて、S/P−GW 6からCoMP GW 7を経由してユーザーデータを受信するための通信路（つまり、S1ベアラ）を設定する。また、スケジューリング制御部105は、受信したユーザーデータ設定情報に基づいて、ユーザーデータをUE 3に送信するための無線チャネル（つまり、無線ベアラ）を設定する。また、スケジューリング制御部105は、UE 3へ送信するユーザーデータの送信タイミングや使用するリソースブロック等を制御し、スケジューリング情報に基づいてユーザーデータをUE3に送信する。スケジューリング制御部105は、スケジューリング情報を通信部104を介して、CoMP eNB 2に送信する。
【００２４】
LTE Advancedの場合、MME 5からServing eNB 1に通知されるユーザーデータ制御情報は、S/P-GW 6からCoMP GW7、Serving eNB1を介してUE 3に到達するEPSベアラの設定情報である。より具体的に述べると、MME 5からServing eNB 1に通知されるユーザーデータ制御情報は、APN（Access Point Name）、UE 3のIPアドレス、GUTI（Globally Unique Temporary Identity）、ベアラ識別子などのうち、少なくとも1つ以上を含む。MME 5は、MME 5とServing eNB 1の間の制御プレーン・インターフェース（S1-MME インターフェース）を用いて、ユーザーデータ制御情報をServing eNB 1にシグナリングする。なお、ユーザーデータ制御情報は、S/P-GW 6、UE 3のそれぞれで終端するベアラを設定するための設定情報に限定されず、CoMP GW 7、Serving eNB 1等で終端するベアラを設定するための設定情報であってもよい。また、CoMP GW 7とUE3の間のベアラでなく一部区間を構成するベアラを設定するための設定情報であってもよい。
【００２５】
図5は、第1から第4の実施形態におけるCoMP eNB 2の構成例を示すブロック図である。図5において、無線通信部201の機能は、無線通信部101と同様である。ただし、物理チャネルとしてPDCCHを送らないという形態も可能である。送信データ処理部202は、UE 3に向けて送信されるユーザーデータを通信部204から取得し、ユーザーデータの送信タイミングや使用するリソースブロック等の情報を含むスケジューリング情報をCoMP制御部205から取得し、ユーザーデータをUE3に送信する。受信データ処理部203は、受信データ処理部103と同様である。CoMP制御部205は、Serving eNB 1から通信部204を介して通知されたスケジューリング情報およびMME 6又はCoMP GW 7から通知されたCoMP設定情報を保持する。CoMP制御部205は、MME 6又はCoMP GW 7から通知されたCoMP設定情報に基づいて、ユーザーデータをCoMP GW 7から受信するための通信路（CoMP用のベアラ）を設定する。また、CoMP制御部205は、受信したCoMP設定情報に基づいて、ユーザーデータをUE 3に送信するためのダウンリンク無線チャネルを設定する。なお、CoMP eNB 2は、CoMPのためのダウンリンク無線チャネルの設定をUE 3との間で予め行わなくてもよい。CoMP eNB 2によるユーザーデータ送信がServing eNB 1と同じリソースブロックを用いて行われる場合、UE 3はCoMP eNB 2とのシグナリングによって予めダウンリンク無線チャネル設定を行うことなく、CoMP eNB 2から送信されるリソースブロックを受信できるためである。CoMP制御部205は、設定した通信路及び無線チャネルを用いて、ユーザーデータをUE 3に送信する。
【００２６】
LTE Advancedの場合、MME 5又はCoMP GW 7からCoMP eNB 2に通知されるCoMP設定情報は、CoMP GW 7からCoMP eNB 2を介してUE 3に到達するベアラの設定情報である。より具体的に述べると、MME 5からCoMP eNB 2に通知されるCoMP設定情報は、APN（Access Point Name）、UE 3のIPアドレス、GUTI（Globally Unique Temporary Identity）、ベアラ識別子などを含む。MME 5がCoMP設定情報をCoMP eNB 2に通知する場合、MME 5は、MME 5とCoMP eNB 2の間の制御プレーン・インターフェース（S1-MME インターフェース）を用いて、CoMP設定情報をCoMP eNB 2にシグナリングすればよい。また、CoMP GW 7がCoMP設定情報をCoMP eNB 2に通知する場合、CoMP GW 7は、CoMP GW 7とCoMP eNB 2の間の制御プレーン・インターフェースを用いて、CoMP設定情報をCoMP eNB 2にシグナリングすればよい。なお、CoMP制御情報は、CoMP GW 7、UE 3のそれぞれで終端するベアラを設定するための設定情報に限定されず、CoMP GW7等で終端するベアラを設定するための設定情報であってもよい。また、CoMP GW 7とUE3の間のベアラでなく一部区間を構成するベアラを設定するための設定情報であってもよい。
【００２７】
図6は、第1から第4の実施形態におけるUE 3の構成の一例を示すブロック図である。UE 3は、Serving eNB1及びCoMP eNB2との無線通信を行うための無線通信部301、受信データ処理部302、送信データ制御部303、CoMP制御部304、送信データ処理部305を含んでいる。受信データ処理部302は、Serving eNB1からのデータを受信し、CoMP設定情報である場合は、CoMP制御部304に転送する。また、CoMP制御部304から指示されるCoMP設定に基づいてCoMP eNB2からのデータを受信する。
【００２８】
図7は、第1から第4の実施形態におけるMME 5の構成の一例を示すブロック図である。MME 5は、下位装置通信部501、送信データ処理部502、受信データ制御部503、及びCoMP情報管理部504を含んでいる。下位装置通信部501は、Serving eNB 1、CoMP eNB 2、及びCoMP GW 7との通信を行う。受信データ処理部503は、Serving eNB 1、CoMP eNB 2またはCoMP GW 7からのデータを受信し、CoMP設定要求である場合は、CoMP情報管理部504に転送する。CoMP情報管理部504は、CoMPの設定を要求された場合、CoMP設定情報を生成し、送信データ処理部502、下位装置通信部601を経由してUE 3へ送信する。
【００２９】
図8は、第1から第4の実施形態におけるS/P-GW 6の構成の一例を示すブロック図である。S/P-GW 6は、下位装置通信部601、送信データ処理部602、受信データ制御部603、上位装置通信部604、及びユーザーデータ管理部605を含んでいる。下位装置通信部601は、Serving eNB 1、CoMP eNB 2、及びCoMP GW 7との通信を行う。上位装置通信部604は、MME 5及びPacket Data Network(PDN)との通信を行う。受信データ処理部603は、Serving eNB1またはCoMP eNB2またはCoMP GW7から送信されるデータを受信する。ユーザーデータ管理部 605は、MME 5から通知されるユーザーデータ制御情報を保持する。送信データ処理部602は、Serving eNB 1にCoMP GW 7を経由してユーザーデータを送信するための通信路（つまり、S1ベアラ）をユーザーデータ制御情報に基づいて設定し、当該通信路を用いてユーザーデータをUE 3へ送信する。
【００３０】
LTE Advancedの場合、MME 5からS/P-GW 6に通知されるユーザーデータ制御情報は、UE 3とS/P-GW 6の間のEPSベアラの設定情報である。より具体的に述べると、MME 5からS/P-GW 6に通知されるユーザーデータ制御情報は、設定すべきデフォルトベアラ又は個別ベアラに関する、UE 3のIMSI（International Mobile Subscriber Identity）、UE 3のIPアドレス、P-GWのアドレス、無線アクセス種別、ベアラQoS情報（QCI：QoS Class Identifier）等を含む。MME 5は、MME 5とS/P-GW 6の間の制御プレーン・インターフェース（S11 インターフェース）を用いて、ユーザーデータ制御情報をS/P-GW 6にシグナリングする。
【００３１】
図9は、第1から第4の実施形態におけるCoMP GW 7の構成例を示すブロック図である。CoMP GW 7は、下位装置通信部701、送信データ処理部702、受信データ制御部703、上位装置通信部704、及びCoMP情報管理部705を含んでいる。下位装置通信部701は、Serving eNB 1及びCoMP eNB 2との通信を行う。上位装置通信部704は、MME 5及びS/P-GW 6との通信を行う。CoMP制御部705は、MME 5から通知されたCoMP設定情報を保持する。CoMP制御部705は、CoMP eNB 2にServing eNB1宛てのユーザーデータに基づいたユーザーデータを送信するための通信路（CoMP用のベアラ）をCoMP設定情報に基づいて設定する。CoMP制御部705は、当該通信路を用いて、ユーザーデータを送信データ処理部702および下位装置通信部701を経由してCoMP eNB 2に送信する。
【００３２】
LTE Advancedの場合、MME 5からCoMP GW 7に通知されるCoMP設定情報は、UE 3とCoMP GW 7の間のベアラの設定情報である。より具体的に述べると、MME 5からCoMP GW 7に通知されるCoMP設定情報は、UE 3のIMSI（International Mobile Subscriber Identity）、UE 3のIPアドレス、P-GWのアドレス、無線アクセス種別、ベアラQoS情報（QCI：QoS Class Identifier）等を含む。例えば、MME 5は、MME 5とCoMP GWの間の制御プレーン・インターフェースを用いて、CoMP設定情報をCoMP GW 7にシグナリングすればよい。
【００３３】
なお、CoMP GW 7は、MME 5からServing eNB 1に通知されるユーザーデータ制御情報を監視し、取得したユーザーデータ制御情報をCoMP設定情報として使用してもよい。この場合、CoMP GW 7は、MME 5とServing eNB 1の間の制御プレーン・インターフェース（S1-MME インターフェース）を終端し、MME 5とServing eNB 1の間で制御プレーン情報を中継するとともに、ユーザーデータ制御情報を監視すればよい。また、CoMP GW 7は、MME 5からS/P-GW 6に通知されるユーザーデータ制御情報を監視し、取得したユーザーデータ制御情報をCoMP設定情報として使用してもよい。この場合、CoMP GW 7は、MME 5とS/P-GW 6の間の制御プレーン・インターフェース（S11 インターフェース）を終端し、MME 5とS/P-GW 6の間で制御プレーン情報を中継するとともに、ユーザーデータ制御情報を監視すればよい。
【００３４】
＜第1の実施形態＞
本実施の形態では、CoMP GW 7がS/P-GW 6からのユーザーデータのみを中継し、Serving eNB 1とCoMP eNB 2の両方がUE 3にユーザーデータを送信する例を示す。つまり、本実施の形態では、Serving eNB 1及びCoMP eNB 2のそれぞれとMME 5との間でCoMP設定に関するシグナリングが行われる。
【００３５】
図10は、本実施の形態におけるCoMP設定手順を示すシーケンス図である。始めにステップS100では、UE 3とS/P-GW 6の間のデフォルトベアラ又は個別ベアラの設定が行われる。このベアラ設定手順は、MME 5が主体となって行う従来のEPSベアラの設定手順と同様とすれば良い。ステップS100のベアラ設定手順の具体例を図11のシーケンスに従って説明する。ステップS11及びS12では、UE 3は、Serving eNB 1との間の制御ベアラ（Signaling Radio Bearer）を利用して、MME 5にベアラ設定要求（デフォルトベアラの場合アタッチ要求）を送る。ステップS13では、MME 5は、ベアラ設定に必要なユーザーデータ制御情報を決定する。ステップS14では、MME 5は、決定したユーザーデータ制御情報を用いて、S/P-GW 6にベアラ設定を要求する。ステップS15では、S/P-GW 6は、MME 5から通知されたユーザーデータ制御情報を保持するとともに、ユーザーデータをUE3に送信するためのベアラ設定を行う。ステップS16では、MME 5は、決定したユーザーデータ制御情報を用いて、Serving eNB 1にベアラ設定を要求する。ステップS17では、Serving eNB 1は、MME 5から通知されたユーザーデータ制御情報を保持するとともに、ユーザーデータをS/P-GW 6から受信するためのベアラ設定を行う。CoMP GW 7は、Serving eNB 1とMME 5の間のベアラ設定のためのシグナリングを監視し、MME 5からServing eNB 1にシグナリングされるユーザーデータ制御情報を取得する（ステップS18）。ステップS18取得されたユーザーデータ制御情報は、CoMP設定情報として使用される。ステップS19では、Serving eNB 1は、MME 5から通知されたユーザーデータ制御情報に従って、UE 3との間の無線ベアラを設定する。ステップS20では、UE 3は、無線ベアラ設定を保持する。
【００３６】
図10に戻って説明を続ける。ユーザーデータは、S/P-GW 6からServing eNB 1を介してUE 3に送信される（ステップS101）。UE 3は、CoMPを開始したい場合、CoMP設定要求をServing eNBに送信する（ステップS102）。Serving eNB 1は、UE 3から受信したCoMP設定要求をMME 5に送信する（ステップS103）。MME 5は、CoMP設定要求を受信した場合、CoMP設定情報を決定し（ステップS104）、CoMP設定情報を該当のCoMP eNB 2に送信する（ステップS105）。このとき、CoMP eNB 2は、CoMP設定情報を保持する（ステップS106）。さらにMME 5は、CoMP GW 7に対してもCoMP設定情報を送信し（ステップS107）、CoMP GW 7は、CoMP設定情報を保持する（ステップS108）。さらに、MME 5は、CoMP設定情報をServing eNB 1へ送信する（ステップS109）。Serving eNB 1は、受信したCoMP設定情報をUE 3へ送信する（ステップS110）。UE 3は、受信したCoMP設定情報を保持する（ステップS111）。ステップS111までを実行することで、CoMPの設定が完了する。
【００３７】
Serving eNB 1は、所定のタイミングで、ユーザーデータを送信するタイミングや使用するリソースブロック等の情報を含むスケジューリング情報をX2インターフェースまたはS1インターフェースを介してCoMP eNB 2に通知する（ステップS112）。S/P-GW 6は、UE 3に送信すべきユーザーデータが存在する場合、CoMP GW 7に対してこれを送信する（ステップS113）。CoMP GW 7は、受信したユーザーデータを複製し（ステップS114）、CoMP設定情報に基づいてServing eNB 1およびCoMP eNB 2に送信する（ステップS115とステップS117）。Serving eNB 1およびCoMP eNB 2は、スケジューリング情報に基づいてユーザーデータをUE 3に送信する（ステップS116とステップS118）。
【００３８】
図１２は、Serving eNB 1におけるCoMPの設定動作の一例を示したフローチャートである。Serving eNB 1は、MME 5からCoMP設定情報を受信することに応答して図１２の動作を開始する（ステップS201）。ステップS201において、MME 5からCoMP設定情報を受信していない場合（ステップS201でN）、ステップS201に戻る。MME 5からCoMP設定情報を受信している場合（ステップS201でY）、Serving eNB 1は、CoMP設定情報を保持し、UE 3にCoMP設定情報を送信し（ステップS202）、CoMP設定情報が有効か否かを判断する動作に移る（ステップS203）。CoMP設定情報が有効ではない場合（ステップS203でN）、Serving eNB 1はCoMP動作を終了する。CoMP設定情報が有効である場合（ステップS203でY）、Serving eNB 1は所定のタイミングでスケジューリング情報をCoMP eNB 2に送信し（ステップS204）、スケジューリング情報に基づいてユーザーデータをUE 3に送信する（ステップS205）。その後、Serving eNB 1は、CoMP設定情報が有効か否かを判断する動作に戻る（ステップS203）。
【００３９】
図１２の例では、ユーザーデータの送信前にServing eNB 1がスケジューリング情報をCoMP eNB 2に送信しているが（ステップS204）、スケジューリング情報を半固定的に用いる等の場合、Serving eNB 1はスケジューリング情報をCoMP eNB 2に送信しなくてもよい。
【００４０】
図１３は、CoMP eNB 2におけるCoMPの設定動作の一例を示したフローチャートである。CoMP eNB 2は、MME 5からのCoMP設定情報の受信に応答して図１３の動作を開始する（ステップS301）。ステップS301において、MME 5からCoMP設定情報を受信していない場合（ステップS301でN）、ステップS301に戻る。MME 5からCoMP設定情報を受信している場合（ステップS301でY）、CoMP eNB 2は、CoMP設定情報を保持し、有効なスケジューリング情報を保持しているか否かを判断する動作に移る（ステップS302）。有効なスケジューリング情報を保持しない場合（ステップS302でN）、CoMP設定情報が有効か否かを判断する動作に移る（ステップS303）。CoMP設定情報が有効である場合（ステップS203でY）、有効なスケジューリング情報を保持しているか否かを判断する動作に戻り（ステップS302）、CoMP設定情報が有効ではない場合（ステップS303でN）、ステップS301に戻る。ステップS302において有効なスケジューリング情報を保持している場合（ステップS302でY）、CoMP eNB 2は、スケジューリング情報に基づいてユーザーデータをUE 3に送信し（ステップS304）、ステップS302に戻る。
【００４１】
図１４は、UE 3におけるCoMPの設定動作の一例を示したフローチャートである。UE 3は、Serving eNB 1からCoMP設定情報を受信することに応答して図１４の動作を開始する（ステップS401）。Serving eNBからCoMP設定情報を受信していない場合（ステップS401でN）、ステップS401に戻る。一方、Serving eNB 1からCoMP設定情報を受信している場合（ステップS401でY）、UE 3は、CoMP設定情報を保持し(ステップS402)、CoMPの設定動作を終了する。
【００４２】
図１５は、MME 5におけるCoMPの設定動作の一例を示したフローチャートである。MME 5は、UE 3からCoMP設定要求を受信することに応答して図１５の動作を開始する（ステップS501）。MME 5は、UE 3からCoMP設定要求を受信していない場合（ステップS501でN）、ステップS501に戻る。一方、UE 3からCoMP設定要求を受信している場合（ステップS501でY）、MME 5は、CoMP設定情報を決定し（ステップS502）、決定したCoMP設定情報をServing eNB 1、CoMP eNB 2およびCoMP GW 7に送信し（ステップS503）、動作を終了する。
【００４３】
図１６は、CoMP GW 7におけるCoMPの設定動作の一例を示したフローチャートである。CoMP GW 7は、MMEからCoMP設定情報を受信することに応答して図１６の動作を開始する（ステップS601）。MME 5からCoMP設定情報を受信していない場合（ステップS601でN）、ステップS601に戻る。一方、MME 5からCoMP設定情報を受信している場合（ステップS601でY）、CoMP GW 7は、S/P-GW 6からユーザーデータを受信しているか否かを判断する動作に移る（ステップS602）。ステップS602において、S/P-GWからユーザーデータを受信していない場合（ステップS602でN）、CoMP設定情報が有効か否かを判断する動作に移る（ステップS603）。ステップS603において、CoMP設定情報が有効である場合（ステップS603でY）、S/P-GWからユーザーデータを受信しているか否かを判断する動作に戻り（ステップS602）、CoMP設定情報が有効ではない場合（ステップS603でN）、ステップS601に戻る。ステップS602においてS/P-GWからユーザーデータを受信している場合（ステップS603でY）、CoMP GW 7は、ユーザーデータを複製し（ステップS604）、Serving eNB 1およびCoMP eNB 2にユーザーデータを送信し（ステップS605）、ステップS602に戻る。
【００４４】
S/P-GW 6の動作は、S/P-GWの通常の動作と同様であるため、説明を省略する。本実施形態では、CoMP GW 7がS/P-GW 6から送信されたユーザーデータを複製し、Serving eNB 1とCoMP eNB 2に送信する。このため、Inter-eNB CoMPを行う場合にS/P-GW 6の動作へ与える影響を小さくできる。また、共通のCoMP GW 7を経由してServing eNB 1及びCoMP eNB 2にユーザーデータを供給することで、Serving eNB 1及びCoMP eNB 2へ到達するユーザーデータ間の遅延差を低減することができる。
【００４５】
なお、CoMP GW 7の機能が、S/P-GW 6等のコアネットワーク 4の一部として実現されえもよい。言い換えると、CoMP GW 7の機能を実現する機能ブロックは、S/P-GW 6等のコアネットワーク4 の他の機能ブロックと共に、１の装置に一体的に配置されてもよい。この場合であっても、CoMP GW 7の機能ブロックがS/P-GW 6の機能ブロックと独立して存在することができる。このため、既存のコアネットワーク4を構成するノードに対する仕様変更のインパクトを最小限に抑えることができる。
【００４６】
また、CoMP GW 7の機能が、Serving eNB 1の一部として実現される場合、言い換えると、CoMP GW 7の機能を実現する機能ブロックがServing eNB 1の機能ブロックと共に１の装置に一体的に配置される場合を考える。Serving eNB 1本来の機能を用いてユーザーデータをCoMP eNB 2に転送する場合、Serving eNB 1はS/P-GW から送信されたユーザーデータに関してS1レイヤを終端し、その後、終端したユーザーデータをX2プロトコルに載せ替えてからCoMP eNB2に転送する動作が必要であり、Serving eNB 1における内部遅延が大きくなる。一方、CoMP GW 7の機能をServing eNB 1の一部として実現した場合、Serving eNB 1は、CoMP GW 7の機能であるProxy機能によってIPアドレスを乗せ替えるだけでCoMP eNB 2へ送信可能である。従って、Serving eNB 1本来の機能を用いた転送と比較してServing eNB 1及びCoMP eNB 2へ到達するデータ間の遅延差を低減することができる。
【００４７】
＜第2の実施形態＞
本実施の形態では、CoMP GW 7がS/P-GW 6からのユーザーデータおよびMME 5からの制御データを中継し、Serving eNB 1とCoMP eNB 2の両方がUE 3にユーザーデータを送信する例を示す。
【００４８】
図１７は、本実施の形態におけるCoMP設定手順を示すシーケンス図である。UE 3はServing eNB 1に接続中である。ユーザーデータは、S/P-GW 6からServing eNB 1を介してUE 3に送信される（ステップS701）。UE 3は、CoMPを開始したい場合、CoMP設定要求をServing eNBに送信する（ステップS702）。Serving eNB 1は、UE 3から受信したCoMP設定要求をCoMP GW 7に送信する（ステップS703）。CoMP GW 7は、CoMP設定要求を受信した場合、CoMP設定情報を決定し（ステップS704）、CoMP設定情報を該当のCoMP eNB 2に送信する（ステップS705）。このときCoMP eNB 2は、CoMP設定情報を保持する（ステップS706）。 CoMP GW 7は、CoMP設定情報を保持する（ステップS707）。CoMP GW 7は、CoMP設定情報をServing eNB 1へ送信する（ステップS708）。Serving eNB1は、受信したCoMP設定情報をUE 3へ送信する（ステップS709）。UE 3は、受信したCoMP設定情報を保持する（ステップS710）。ステップS710までを実行することで、CoMPの設定が完了する。
【００４９】
Serving eNB 1は、所定のタイミングで、ユーザーデータを送信するタイミングや使用するリソースブロック等の情報を含むスケジューリング情報をX2インターフェースまたはS1インターフェースを介してCoMP eNB 2に通知する（ステップS711）。S/P-GW 6は、UE 3に送信すべきユーザーデータが存在する場合、CoMP GW 7に対してこれを送信する（ステップS712）。CoMP GW 7は、受信したユーザーデータを複製し（ステップS713）、CoMP設定情報に基づいてServing eNB 1およびCoMP eNB 2に送信する（ステップS714とステップS716）。Serving eNB 1およびCoMP eNB 2は、スケジューリング情報に基づいてユーザーデータをUE 3に送信する（ステップS715とステップS717）。
【００５０】
Serving eNB 1、CoMP eNB 2およびUE 3の動作は、第1の実施形態と同様なので、説明を省略する。また、第2の実施形態では、MME 5に代わってCoMP GW 7がCoMP eNB 2へのCoMP設定を行う。このため、MME 5の動作は、従来と同様であるので、説明を省略する。
【００５１】
図１８は、CoMP GW 7におけるCoMPの設定動作の一例を示したフローチャートである。CoMP GW 7は、UE 3からCoMP設定要求を受信することに応答して図１８の動作を開始する（ステップS801）。CoMP GW 7は、UE 3からCoMP設定要求を受信していない場合（ステップS801でN）、ステップS801に戻る。一方、UE 3からCoMP設定要求を受信している場合（ステップS801でY）、CoMP GW 7は、CoMP設定情報を決定し（ステップS802）、決定したCoMP設定情報をServing eNB 1およびCoMP eNB 2に送信し（ステップS803）、S/P-GW 6からユーザーデータを受信したか否かを判断する動作に移行する（ステップS804）。S/P-GW 6からユーザーデータを受信していない場合（ステップS804でN）、CoMP GW 7は、CoMP設定情報が有効か否かを判断する動作に移る（ステップS805）。CoMP設定情報が有効である場合（ステップS805でY）、CoMP GW 7は、S/P-GW 6からユーザーデータを受信しているか否かを判断する動作に戻る。（ステップS804）。一方、CoMP設定情報が有効ではない場合（ステップS805でN）、ステップS801に戻る。ステップS804においてS/P-GW 6からユーザーデータを受信している場合（ステップS804でY）、CoMP GW 7は、ユーザーデータを複製し（ステップS806）、Serving eNBおよびCoMP eNBにユーザーデータを送信し（ステップS807）、ステップS804に戻る。
【００５２】
本実施形態では、第1の実施形態と同様に、CoMP GW 7がS/P-GW 6から送信されたユーザーデータを複製して、Serving eNB 1とCoMP eNB 2に送信する。さらに本実施形態では、CoMP GW 7が、MME 5からServing eNB 1にシグナリングされるユーザーデータ設定情報、又はMME 5からS/P-GW 6にシグナリングされるユーザーデータ設定情報を取得する。そして、CoMP GW 7は、MME5に代わって、CoMP eNB 2のCoMP設定を制御する。このため、Inter-eNB CoMPを行う場合にS/P-GW 6およびMME 5の動作へ与える影響を小さくできる。また、共通のCoMP GW 7を経由してServing eNB 1及びCoMP eNB 2にユーザーデータを供給することで、Serving eNB 1及びCoMP eNB 2へ到達するユーザーデータ間の遅延差を低減することができる。なお、第1の実施の形態で述べたのと同様に、論理ノードとしてのCoMP GW 7の機能、あるいは当該機能を実行する機能ブロックは、コアネットワーク 4内のノード（S/P-GW 6等）又はServing eNB 1に配置されてもよい。
【００５３】
＜第3の実施形態＞
本実施の形態では、第1の実施形態と同様に、CoMP GW 7がS/P-GW 6からのユーザーデータのみを中継する例を示す。さらに、本実施の形態では、CoMP eNB 2が所定の条件を満足した場合、UE 3にユーザーデータを送信する例を示す。
【００５４】
図１９は、本実施の形態におけるCoMP設定手順を示すシーケンス図である。ステップS101からS117までは、第1の実施形態と同様なので説明を省略する。ステップS117において、CoMP GW 7からユーザーデータを受信したCoMP eNB 2は、UE 3に送信可能か否かを判断する（ステップS918）。CoMP eNB 2は、UE 3へ送信可能である場合にユーザーデータをUE 3に送信し（ステップS919）、UE 3へ送信可能ではない場合にUE 3への送信を中止する（ステップS920）。
【００５５】
Serving eNB、UE、MMEおよびCoMP GWの動作は、第1の実施形態と同様なので、説明を省略する。図２０は、CoMP eNB 2におけるCoMPの設定動作の一例を示したフローチャートである。ステップS301からS303までは、第1の実施形態のCoMP eNB 2の動作と同様であるから、差分のみを説明する。ステップS302において、有効なスケジューリング情報を保持している場合（ステップS302でY）、CoMP eNB 2は、UE 3へ送信可能か否かを判断する動作に移行する（ステップS1004）。ステップS1004において、UE 3への送信が可能である場合（ステップS1004でY）、CoMP eNB 2は、スケジューリング情報に基づいてユーザーデータをUE 3に送信し（ステップS1005）、ステップS302に戻る。ステップS1004において、UE 3への送信が可能ではない場合（ステップS1004でN）、CoMP eNB 2は、ユーザーデータをUE 3に送信せず（ステップS1006）、ステップS302に戻る。
【００５６】
ここで、UE 3へのユーザーデータの送信が可能か否かの判断基準として、CoMP eNB 2の無線リソースの負荷状況、CoMP GW 7からユーザーデータが到着するタイミング、MME 5からの指示等が考えられる。CoMP eNB 2の無線リソースの負荷状況を判断基準とする場合、例えば、CoMP eNB 2の無線リソースの使用率が所定値よりも低い場合にユーザーデータを送信し、所定値よりも高い場合に送信しないようすればよい。CoMP GWからユーザーデータが到着するタイミングを判断基準とする場合、例えば、スケジューリング情報で指定されたタイミングに間に合うようユーザーデータを受信している場合にユーザーデータを送信し、間に合わない場合に送信しないようすればよい。MMEからの指示を判断基準とする場合、例えば、MME 5からユーザーデータの送信の許可を指示されている場合にユーザーデータを送信し、停止を指示されている場合に送信しないようすればよい。
【００５７】
本実施形態は、第１の実施形態で述べた利点に加えて以下の利点を持つ。すなわち、CoMP eNB 2がユーザーデータの送信可否を判断し、状況に応じてユーザーデータの送信を停止する。このため、CoMP eNBセル21を効率的に使用したCoMPを実現することができる。
【００５８】
＜第4の実施形態＞
本実施の形態では、第1の実施形態と同様に、CoMP GW 7がS/P-GW 6からのユーザーデータのみを中継する例を示す。さらに、本実施の形態では、Serving eNB 1が所定の条件を満足した場合、UE 3にユーザーデータを送信する例を示す。
【００５９】
図２１は、本実施の形態におけるCoMP設定手順を示すシーケンス図である。ステップS101からS115までは、第1の実施形態と同様なので説明を省略する。ステップS115において、CoMP GW 7からユーザーデータを受信したServing eNB 1は、UE 3に送信可能か否かを判断する（ステップS1116）。Serving eNB 1は、UE 3へ送信可能である場合にユーザーデータをUE 3に送信し（ステップS1117）、UE 3へ送信可能ではない場合にUE 3への送信を中止する（ステップS1118）。CoMP eNB 2は、CoMP GW 7からユーザーデータを受信し（ステップS1119）、UE 3に送信する（ステップS1120）。
【００６０】
CoMP eNB、UE、MMEおよびCoMP GWの動作は、第1の実施形態と同様なので、説明を省略する。図２２は、Serving eNB 1におけるCoMPの設定動作の一例を示したフローチャートである。ステップS201からS204までは、第1の実施形態のServing eNBの動作と同様であるから、差分のみを説明する。所定のタイミングでスケジューリング情報をCoMP eNB 2に送信した場合（ステップS204）、Serving eNB 1は、UE 3へ送信可能か否かを判断する動作に移行する（ステップS1205）。ステップS1205において、UE 3への送信が可能である場合（ステップS1205でY）、Serving eNB 1は、スケジューリング情報に基づいてユーザーデータをUE 3に送信し（ステップS1206）、ステップS203に戻る。ステップS1205において、UE 3への送信が可能ではない場合（ステップS1205でN）、Serving eNB 1は、ユーザーデータをUE 3に送信せず（ステップS1207）、ステップS208に戻る。
【００６１】
UE 3へのユーザーデータの送信が可能か否かの判断基準は、第3の実施形態と同様の基準を用いることができる。
【００６２】
本実施形態は、第１の実施形態で述べた利点に加えて以下の利点を持つ。すなわち、Serving eNB 1がユーザーデータの送信可否を判断し、状況に応じてユーザーデータの送信を停止する。このため、Serving eNBセル11を効率的に使用したCoMPを実現することができる。
【００６３】
＜その他の実施の形態＞
第3と第4の実施形態は、第1の実施形態をベースに考えられているが、第2の実施形態をベースにしても同様の効果を得ることが可能である。また、第3の実施の形態と第4の実施の形態は適宜組み合わせてもよい。
【００６４】
第1〜第4の実施形態では、EPC/E-UTRANの場合について具体的に説明した。しかしながら、これらの実施形態で説明した、CoMP GWを用いたCoMP実施方法は、UMTS等の他の移動通信システムにも当然に適用可能である。
【００６５】
上述した第1〜第4の実施の形態で述べた各装置（Serving eNB1、CoMP eNB2、UE3、MME5、S/P-GW6、CoMP GW7）で行われる処理は、ASIC（Application Specific Integrated Circuit）、DSP（Digital Signal Processor）、MPU（Micro Processing Unit）若しくはCPU（Central Processing Unit）又はこれらの組み合わせを含むコンピュータ・システムを用いて実現することができる。具体的には、シーケンス図又はフローチャートを用いて説明した各装置の処理手順に関する命令群を含むプログラムをコンピュータ・システムに実行させればよい。
【００６６】
これらのプログラムは、コンピュータ・システムがアクセス可能な様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６７】
さらに、本発明は上述した実施の形態のみに限定されるものではなく、既に述べた本発明の要旨を逸脱しない範囲において種々の変更が可能であることは勿論である。
【００６８】
例えば、上記の実施の形態の一部又は全部は、以下の付記のようにも記載されうるが、以下には限られない。
（付記１）
移動局宛てのパケットデータを無線送信可能な第１及び第２の基地局と、
前記パケットデータを前記第１の基地局に向けて送信する第１のゲートウェイ手段と、
前記第１及び第２の基地局、並びに前記第１のゲートウェイ手段と通信可能な第２のゲートウェイ手段と、
前記パケットデータを転送するための通信路設定に関する情報をシグナリングする制御手段と、
を備え、
前記第１のゲートウェイ手段から前記第２のゲートウェイ手段を介して前記第１の基地局に前記パケットデータを送信するための通信路設定は、前記制御手段からシグナリングされる第１のパケットデータ通信情報に基づいて行われ、
前記第２のゲートウェイ手段から前記第２の基地局に前記パケットデータを送信するための通信路設定は、前記第１のパケットデータ通信情報、前記制御手段から前記第１の基地局にシグナリングされる第２のパケットデータ通信情報、及び前記制御手段から前記第２のゲートウェイ手段にシグナリングされる第３のパケットデータ通信情報のうち少なくとも１つに基づいて行われる、
無線通信システム。
【００６９】
（付記２）
前記第１及び第２のゲートウェイ手段は、１の装置に一体的に配置される、付記１に記載の無線通信システム。
【００７０】
（付記３）
前記第２のゲートウェイ手段は、前記第１の基地局に配置される、付記１に記載の無線通信システム。
【００７１】
この出願は、２０１０年４月９日に出願された日本出願特願２０１０−０９０３４６を基礎とする優先権を主張し、その開示の全てをここに取り込む。
【符号の説明】
【００７２】
1  基地局（Serving eNB）
2  基地局（CoMP eNB）
3  移動局（UE）
4  コアネットワーク
5  Mobility Management Entity (MME)
6  Serving Gateway/Packet Data Network Gateway (S/P-GW）
7  CoMP GW
11  Serving eNBセル
31  CoMPeNBセル
101  無線通信部
102  送信データ処理部
103  受信データ処理部
104  通信部
105  スケジューリング制御部
201  無線通信部
202  受信データ処理部
203  送信データ制御部
204  通信部
205  CoMP制御部
301  無線通信部
302  受信データ処理部
303  送信データ制御部
304  CoMP制御部
305  送信データ制御部
501  下位装置通信部
502  送信データ処理部
503  受信データ制御部
504  CoMP情報管理部
601  下位装置通信部
602  送信データ処理部
603  受信データ処理部
604  上位装置通信部
605  ユーザーデータ管理部
701  下位装置通信部
702  送信データ処理部
703  受信データ処理部
704  上位装置通信部
705  CoMP情報管理部
【図１】
0005857955.tif 000002
【図２Ａ】
0005857955.tif 000003
【図２Ｂ】
0005857955.tif 000004
【図３】
0005857955.tif 000005
【図４】
0005857955.tif 000006
【図５】
0005857955.tif 000007
【図６】
0005857955.tif 000008
【図７】
0005857955.tif 000009
【図８】
0005857955.tif 000010
【図９】
0005857955.tif 000011
【図１０】
0005857955.tif 000012
【図１１】
0005857955.tif 000013
【図１２】
0005857955.tif 000014
【図１３】
0005857955.tif 000015
【図１４】
0005857955.tif 000016
【図１５】
0005857955.tif 000017
【図１６】
0005857955.tif 000018
【図１７】
0005857955.tif 000019
【図１８】
0005857955.tif 000020
【図１９】
0005857955.tif 000021
【図２０】
0005857955.tif 000022
【図２１】
0005857955.tif 000023
【図２２】
0005857955.tif 000024